(57)【要約】【課題】封止体を用いて容器の口部を再封止可能に密閉する構造の容器用栓体を提供する。【解決手段】本発明における容器用栓体は、容器の口部へ固定可能であって前記容器の内容物を注出可能な注出口が形成された本体と、前記容器の内部へ押し下げて没入可能に構成されるとともに、前記本体の閉塞部に嵌合されて前記注出口を閉塞可能な封止体と、前記注出口をカバーする上蓋と、前記封止体と前記上蓋とにそれぞれ接続可能であって、前記容器の内部に没入した前記封止体を前記注出口へ向けて前記注出口の外側から前記閉塞部まで引き上げ可能な牽引部材と、を含む。【選択図】図１
2020050367.tif 000002
【特許請求の範囲】
【請求項１】
容器の口部へ固定可能であって前記容器の内容物を注出可能な注出口が形成された本体と、
前記容器の内部へ押し下げて没入可能に構成されるとともに、前記本体の閉塞部に嵌合されて前記注出口を閉塞可能な封止体と、
前記注出口をカバーする上蓋と、
前記封止体と前記上蓋とにそれぞれ接続可能であって、前記容器の内部に没入した前記封止体を前記注出口へ向けて前記注出口の外側から前記閉塞部まで引き上げ可能な牽引部材と、
を含むことを特徴とする容器用栓体。
【請求項２】
前記閉塞部は、
フランジ面と、前記フランジ面から垂下するアウターリングと、インナーリングと、から形成され、
前記注出口とは別体である請求項１に記載の容器用栓体。
【請求項３】
前記本体の閉塞部は、前記封止体よりも軟質な材料で構成されている請求項１又は２に記載の容器用栓体。
【請求項４】
前記上蓋は、天面壁を有し、
前記天面壁が膨出している請求項１〜３のいずれか一項に記載の容器用栓体。
【請求項５】
前記上蓋の内面側には前記注出口へ向けて垂下する中空の円筒壁が設けられ、
前記円筒壁の内側に前記牽引部材との接続部が形成されるとともに、前記上蓋を前記本体へカバーする時に前記円筒壁の先端部によって前記注出口が封止される請求項１〜４のいずれか一項に記載の容器用栓体。
【請求項６】
前記注出口の上端の一部が切り欠かれた切り欠き部を有し、
前記封止体が前記容器の内部に没入したときに前記牽引部材の一部が前記切り欠き部で保持される請求項１〜５のいずれか一項に記載の容器用栓体。
【発明の詳細な説明】
【技術分野】
【０００１】
本発明は、容器の口部と係合可能な容器用栓体に関するものであり、より詳細には容器の内部に没入可能な封止体によって注出口の開閉栓が可能な構造を有する容器用栓体に関する。
【背景技術】
【０００２】
例えば水やお茶あるいは清涼飲料水などの飲料用容器として、ＰＥＴボトル又は金属／ガラス製ボトルなどが従来から広く使用されている。これらの容器の注出口には内容物を封止するためネジ式あるいは打栓式キャップなどの種々の容器用栓体が用いられる。
【０００３】
かような容器用栓体の一例として、例えば特許文献１に示すごとき玉体で注出口を封止して内容物を保存する構造の栓体も知られている。
すなわち特許文献１によれば、清涼飲料のラムネを収容するラムネ瓶において、合成樹脂やエラストマーにより形成された内筒の内部で且つ上下突起の間に密接収容された玉体を用いた閉止装置が提案されており、内筒の下側から予め玉体を圧入しておくことで、下突起を押し広げて玉体が圧入されて上突起に接したところで停止するといった構成であり、開栓時は玉体を押圧して容器内に落下させる。
【先行技術文献】
【特許文献】
【０００４】
【特許文献１】実開昭６４−４７６９６号公報
【発明の概要】
【発明が解決しようとする課題】
【０００５】
たしかに上記した特許文献１の構成によれば、玉体を用いて簡易に内筒の注出口を封止することができる点で利便性は高い。
しかしながらこの特許文献１を含む従来構造では、いまだに後述する課題は解決されておらず改良の余地があることは否めない。
【０００６】
すなわち、特許文献１では注出口を玉体で封止する構成である点において密封性の向上が図れて有効ではあるものの、いったん開栓してしまうと玉体が内筒の下突起より下方に落下して再封止することが著しく困難となってしまう。
このように従来の構造では再封止が困難であるため、例えば内容物が上記したラムネなどの炭酸飲料である場合には容器内の内容物を一度ですべて使用しなければ炭酸が抜けてしまい内容物の劣化を招いてしまう。これに対して特許文献１の構成では玉体を内筒の内部に戻すことは容易でなく、せいぜい注出口をラップ等で閉塞する程度に留まって高い密封性を再度確保することができない。
また、飲料用容器の容器蓋においてはネジ嵌合によって開閉するものが広く用いられているが、このようなネジ嵌合の容器蓋をつまんで捻り回す回動動作が必要であり、例えば握力が弱く握る力が弱い人にとっては開閉栓が困難である。
【０００７】
なお上記した課題は炭酸などの飲料に限られず、例えば調味料や洗剤等を内容物とする場合においても同様である。換言すれば、上記した特許文献１を含む従来技術においては、上記した課題に対しては未だ改善の余地はあり、例えば玉体などの封止体を用いて容器の注出口を再封止が可能なように密閉するとともに、開栓時には意匠性や趣向性に優れた使用形態を実現可能な栓体構造は未だ提案されていない。
従って、本発明の目的の１つは、開栓時には封止体を用いて容器の口部を再封止可能に密閉する構造の容器用栓体を提供することにある。
【課題を解決するための手段】
【０００８】
上記課題を解決するため、本発明の一形態における容器用栓体は、（１）容器の口部へ固定可能であって前記容器の内容物を注出可能な注出口が形成された本体と、前記容器の内部へ押し下げて没入可能に構成されるとともに、前記本体の閉塞部に嵌合されて前記注出口を閉塞可能な封止体と、前記注出口をカバーする上蓋と、前記封止体と前記上蓋とにそれぞれ接続可能であって、前記容器の内部に没入した前記封止体を前記注出口へ向けて前記注出口の外側から前記閉塞部まで引き上げ可能な牽引部材と、を含むことを特徴とする。
【０００９】
なお上記（１）に記載の容器用栓体においては、（２）前記閉塞部は、フランジ面と、前記フランジ面から垂下するアウターリングと、インナーリングと、から形成され、前記注出口とは別体であることが好ましい。
【００１０】
また、上記（１）又は（２）に記載の容器用栓体においては、（３）前記本体の閉塞部は、前記封止体よりも軟質な材料で構成されていることが好ましい。
【００１１】
また、上記（１）〜（３）のいずれかに記載の容器用栓体においては、（４）前記上蓋は、天面壁を有し、前記天面壁が膨出していることが好ましい。
【００１２】
また、上記（１）〜（４）のいずれかに記載の容器用栓体においては、（５）前記上蓋の内面側には前記注出口へ向けて垂下する中空の円筒壁が設けられ、前記円筒壁の内側に前記牽引部材との接続部が形成されるとともに、前記上蓋を前記本体へカバーする時に前記円筒壁の先端部によって前記注出口が封止されることが好ましい。
【００１３】
また、上記（１）〜（５）のいずれかに記載の容器用栓体においては、（６）前記注出口の上端の一部が切り欠かれた切り欠き部を有し、前記封止体が前記容器の内部に没入したときに前記牽引部材の一部が前記切り欠き部で保持されることが好ましい。
【発明の効果】
【００１４】
本発明によれば、開栓時には本体の閉塞部に嵌入された封止体を容器の内部へ没入することで簡易に開栓が実現でき、さらに閉栓時には牽引部材を容器の外側へ向けて引っ張ることで封止体を閉塞部まで引き上げて再嵌合させることで容器の再封止が可能となる。
ひいては、回動動作を伴わずに押圧・引っ張り動作だけで開閉栓を行うことができる。
【図面の簡単な説明】
【００１５】
【図１】第１実施形態における容器用栓体１００が容器１に装着された栓体付き容器２００の外観を示す斜視図である。
【図２】閉栓状態における栓体付き容器２００の外観と断面をそれぞれ示す模式図である。
【図３】容器用栓体１００のうち上蓋３０の構造を示す模式図である。
【図４】容器用栓体１００のうち本体１０の構造を示す模式図である。
【図５】本体１０のうち閉塞部１２の詳細構造を示す模式図である。
【図６】上蓋３０を用いた封止体２０の開栓動作を示した模式図である。
【図７】上蓋３０と牽引部材４０を用いた封止体２０の閉栓動作を示した模式図である。
【図８】第２実施形態における容器用栓体１００のうち閉塞部１２´の詳細構造を示す側面図、断面図および外観斜視図である。
【図９】第２実施形態における容器用栓体１００を用いて容器１の内容物を注出した状態を示す模式図である。
【発明を実施するための形態】
【００１６】
以下、本発明を好適に実施するための実施形態について説明する。
なお本実施形態においては、説明の便宜上、図を用いた説明においてＸ、Ｙ及びＺ方向を適宜設定したが、説明の便宜上であって本発明を何ら過度に限定するものではない。
【００１７】
［第１実施形態］
＜栓体付き容器２００＞
図１及び図２は、本実施形態に係る栓体付き容器２００をそれぞれ異なる方向から見た図である。なお説明の便宜上、図１（ａ）では栓体付き容器２００を半透明の状態で示し、図１（ｂ）では牽引部材４０を省略して示している。これらの図から明らかなとおり、栓体付き容器２００は、容器用栓体１００が容器１に装着されており、当該容器１内に内容物を貯留し保存する。
【００１８】
ここで、容器１としては、金属製ボトルやガラス瓶などの容器が例示される。容器の口部には、容器用栓体１００を固定するための固定部が形成されている。本実施形態では、容器用栓体１００の固定部が容器の口部に打栓されて係合することで互いが固定される。
【００１９】
なお容器用栓体１００と容器１との固定方法は上記のごとき打栓式に限られず、例えば公知のネジ構造など種々の構造を適用してもよい。また、容器１に貯蔵されるのに好適な内容物としては特に制限はなく、水やお茶あるいは清涼飲料水の他にアルコール飲料や炭酸飲料なども例示でき、さらには飲料に限られず各種の調味料やトイレタリー液など種々の液体が例示できる。
【００２０】
＜容器用栓体１００＞
以下、上記した容器１の口部１ａに固定可能な容器用栓体１００について、図１〜７を適宜参照しながら詳述する。
例えば図１及び２からも明らかなとおり、本実施形態における容器用栓体１００は、本体１０、封止体２０、上蓋３０、及び牽引部材４０を含んで構成されている。この容器用栓体１００の材質に特に制限はないが、例えば本体１０と上蓋３０は射出成形が可能な公知の合成樹脂（例えばポリエチレンやポリプロピレンなど）で構成され、封止体２０はガラスや金属材料で構成され、牽引部材４０は金属材料や樹脂材料あるいは糸などの繊維材料で構成されることが好ましい。
【００２１】
本体１０は、図４及び５などにも示されるとおり、容器１の口部へ固定可能であって内容物を注出可能な注出口１１を有するように構成され、より具体的には上記した注出口１１の他、閉塞部１２、切り欠き部１３、天面板１４及び周壁１５を含んで構成されている。
【００２２】
このうちまず注出口１１は、図１、図２から明らかなとおり、天面板１４から上方に向けてラッパ状に広がるように立設されている。そして容器１の内容物は、注出時にこの注出口１１の内面を流通する。また、注出口１１の内面のうち下端部は、後述する閉塞部１２の内面と連続するように構成されている。
【００２３】
一方、本実施形態の注出口１１には、注出口１１の内面のうち上端の一部が切り欠かれた切り欠き部１３が形成されていてもよい。この切り欠き部１３は、後述する封止体２０が容器１の内部に没入したときに、牽引部材４０の一部を挟持して保持する機能を有するように構成されている。これにより牽引部材４０の端部にある封止体２０は容器１の内部で宙吊り状態を維持することが可能となる。
なお牽引部材４０の一部を挟持して保持する部位は、必ずしも注出口１１を加工して切り欠き部１３とせずに、例えば天面板１４にフックを別途立設するなどしてもよい。
【００２４】
なお図４からも明らかなとおり、周壁１５の外周面には滑り止めなどを目的として平面となる切り欠きを周方向で適宜形成することができる。また周壁１５の内周面における下端には容器１と係合可能な固定部１５ａが形成されているが、容器１と係合可能な限りにおいてこの固定部１５ａの構造に特に制限はない。
【００２５】
閉塞部１２は、容器１の閉栓時に後述する封止体２０が嵌合されて注出口１１を閉塞する機能を有して構成されている。かような機能面から閉塞部１２は、封止体２０よりも軟質な材料で構成されていることが好ましい。
【００２６】
より具体的には図４及び５に示されるとおり、閉塞部１２は、フランジ面１２ａと、このフランジ面１２ａから垂下するアウターリング１２ｂと、このアウターリング１２ｂの内側でフランジ面１２ａから同様に垂下するインナーリング１２ｃとで形成されており、上記した注出口１１とは別体となるように構成されている。
【００２７】
また図４（ａ）のとおり、閉塞部１２のインナーリング１２ｃの内側は注出口１１と連通しており、組み立て時には周壁１５の下側からフランジ面１２ａが上側を向く形で挿入される。
【００２８】
なお図４（ｃ）からも明らかなとおり、閉塞部１２のフランジ面１２ａは天面板１４の内面と密着することから、これらが接着剤や熱溶着など公知の手段を介して互いに密着していてもよい。これにより内容物がフランジ面１２ａと天面板１４の内面との間から漏れ出ずシール性を確保することも可能となる。
【００２９】
さらに同図から明らかなとおり、閉塞部１２のうちアウターリング１２ｂは、容器１の口部の内周面と密着可能な外径を有して構成される。したがってこのアウターリング１２ｂと容器１の口部とが互いに密着することで、内容物のシール性が確保されることになる。
【００３０】
上述のとおり閉栓時にはインナーリング１２ｃの内面側には封止体２０が嵌合される。したがって図２（ｃ）や図５（ｃ）に示されるとおり、本実施形態のインナーリング１２ｃの内周面にはアンダーカットで形成された下側突出部１２ｅと上側突出部１２ｆがそれぞれ形成されている。それゆえ、封止体２０によって注出口１１が閉塞されるときは、図２（ｃ）にも示すとおりこの封止体２０が閉塞部１２の下側突出部１２ｅと上側突出部１２ｆとの間に嵌入され、下側突出部１２ｅで封止体２０の下部を保持し、上側突出部１２ｆと封止体２０が嵌合することによって密封を確保している。
【００３１】
封止体２０は、容器１の内部へ押し下げて没入可能に構成されるとともに、本体１０の閉塞部１２に嵌合されて注出口を閉塞可能なように構成されている。
より具体的に本実施形態の封止体２０は、牽引部材４０と接続された球状体となっている。なお封止体２０の外形は、必ずしも球状である必要はなく、牽引部材４０により牽引可能で且つ閉塞部１２を閉塞可能であれば円錐状など他の形状となっていてもよい。かような場合には閉塞部１２に対して封止体２０が圧入される形態となるため、アンダーカットで形成される下側突出部１２ｅと上側突出部１２ｆは適宜省略されるようにしてもよい。
【００３２】
また封止体２０の材質は、上述のとおりガラスや金属あるいは樹脂など公知の種々の材料が適用できる。上述のとおり封止体２０は閉塞部１２よりも硬度が高いことが好ましいため、意匠性なども鑑みるとガラス又は金属材料がより好ましいと言える。
【００３３】
次に図２及び図３を適宜参照して本実施形態の上蓋３０について説明する。
上蓋３０は、上記した本体１０の注出口１１をカバーする機能を有する。より具体的には図３に示すとおり、本実施形態の上蓋３０は、天面壁３１、円筒壁３２、接続部３３、及びスカート壁３４を含んで構成されている。このうち天面壁３１は、その中央の一部が上方に向けて凸となるように膨出する膨出部３１ａを有する構成となっている。
【００３４】
また、本実施形態では、上蓋３０のスカート壁３４の内径は、上記した本体１０の周壁１５の上端における外径よりも若干小さくなるように設定されている。したがって本体１０に対して上蓋３０を装着する際には、この周壁１５の上端縁部に対してスカート壁３４の内周下端を嵌入することで本体１０と上蓋３０とが互いに固定される。なお本体１０と上蓋３０との固定方法は上記に限定されず公知の種々の固定手法を採用してもよい。
【００３５】
そして上蓋３０の内面側には注出口１１へ向けて垂下する中空の円筒壁３２が設けられ、この円筒壁３２の内側には後述する牽引部材４０との接続部３３が形成されている。したがって上蓋３０を本体１０へカバーする時に円筒壁３２の先端部が注出口１１の内面に密着し、注出口１１が円筒壁３２の先端部によって封止されるように構成されている。
【００３６】
接続部３３は、図２（ｃ）に示すとおりリング状の形状を有しており、上記した牽引部材４０の一端と接続可能なように構成される。なお牽引部材４０の一端との接続態様については特に制限はなく、物理的に引っ掛かる形状でもよく、公知の接着剤や融着などで固着される形態であってもよい。
【００３７】
これにより、牽引部材４０は、図２（ｃ）に示されるとおり、一端が上蓋３０の接続部３３と接続されるとともに、他端が封止体２０と接続される。したがって封止体２０によって本体１０の注出口１１が閉栓されているときは、牽引部材４０は円筒壁３２の内部において撓んで収容されており、開封により容器１の内部に没入した封止体２０を注出口１１の外側から閉塞部１２の内面まで引き上げ、封止体２０を再び嵌入し、注出口１１を再封止する機能を有している。
なお、牽引部材４０は、糸状または紐状の形態を有する可撓性の部材である。かような牽引部材４０としては、例えば天然繊維または合成繊維で構成される糸、あるいは樹脂製又は金属製のチェーンやひもなどが例示できる。
【００３８】
＜容器用栓体１００の開栓方法＞
次に図６も適宜参照して、本実施形態における容器用栓体１００を用いた開栓方法について説明する。
開栓時においては、上蓋３０を把持して容器１に固定された本体１０から上蓋３０を離脱させる。円筒壁３２内に収容された牽引部材４０は接続部３３の移動に追従して伸長する。
【００３９】
次いで使用者は、図６に示すように、膨出部３１ａが封止体２０と対向するように上蓋３０をひっくり返して膨出部３１ａの先端を封止体２０と接触させる。その後に上蓋３０を封止体２０に向けて押圧することで、閉塞部１２内に嵌入されていた封止体２０は容器１の内部へ没入することで開栓される。
【００４０】
このとき封止体２０は牽引部材４０と連結されているため、開栓時に封止体２０が容器１に没入した後も容器１の内部底に落下せずに牽引部材４０を介して容器１の内部で宙づり状態を維持できる。
次いで使用者は、図７（ａ）に示すように、牽引部材４０の一部を注出口１１の切り欠き部１３に押し込むことで、切り欠き部１３で牽引部材４０を保持させることができる。
以上の工程を経て本実施形態の容器用栓体１００の開栓が完了する。
【００４１】
＜容器用栓体１００の閉栓方法＞
次に図７（ｂ）を適宜参照しつつ本実施形態の容器用栓体の閉栓方法について説明する。
内容物を注出口１１から適宜注出した後、まず使用者は上蓋３０を把持し、切り欠き部１３から牽引部材４０の一部を離脱させる。
【００４２】
次いで同図に示すとおり、使用者が上蓋３０を上方へ持ち上げることで牽引部材４０に連結された封止体２０も上昇する。そして牽引部材４０による牽引動作を継続することで、封止体２０は本体１０の閉塞部１２の下側突出部１２ｅを弾性的に乗り越える。
使用者が上蓋３０をさらに持ち上げると、牽引部材４０を介して封止体２０が上側突出部１２ｆと下側突出部１２ｅとの間に嵌入され、上側突出部１２ｆによって密封される。
以上の工程を経て本実施形態の容器用栓体１００の閉栓が完了する。
【００４３】
このように本実施形態の容器用栓体１００においては、開栓時には本体１０の閉塞部１２に嵌入された封止体２０を容器１の内部へ没入することで簡易に開栓することができる。一方で閉栓時には牽引部材４０を容器１の外側へ向けて引っ張ることで、容器１の内部に没入している封止体２０を閉塞部１２まで容易に引き上げて再嵌入させることで容器１の再封止が可能となる。
【００４４】
［第２実施形態］
次に図８および図９を用いて第２実施形態における容器用栓体１００について説明する。なお以下の説明においては、第１実施形態における容器用栓体１００と機能および構造が同様な要素については同じ番号を付して適宜その説明は省略する。また特に断りがない限り、以下で詳述する構成以外については第１実施形態における容器用栓体１００の構成を適用してもよい。
【００４５】
図８に第２実施形態における容器用栓体１００のうち閉塞部１２´を抜粋して示す。
同図に示すとおり、本実施形態の閉塞部１２´はインナーリング１２ｃに切り欠き１２ｇが形成されている点に主とした特徴がある。すなわち切り欠き１２ｇは、インナーリング１２ｃの下端が切り欠いて形成された凹部であり、容器１に閉塞部１２´が装着された際に容器の内部と外部とを連通する流通口として機能する。
【００４６】
なお本実施形態の切り欠き１２ｇは、インナーリング１２ｃの下端で９０度間隔で周方向に４つ形成されているがこの形態に限られない。すなわち、注出用凹部１２ｇの上記周方向における形成個数は４つ以外でもよく、例えば等間隔または不等間隔で２つ以上形成されていてもよく、さらには容器１の軸に対して上記した切り欠き部１３とは反対方向に形成されていてもよい。
【００４７】
かような切り欠き１２ｇによれば、第１実施形態の容器用栓体１００により得られる効果に加えて更に以下に述べる効果も享受できる。
すなわち容器１の内容物を消費するとき、内容物の残量によっては注出口１１が下方を向く程度に容器１を傾斜させる必要もある。このとき封止体２０は自重の作用によって鉛直下方に転動してインナーリング１２ｃの下端に到達し、さらに閉塞部１２´の下側突出部１２ｅを塞ぐ可能性も考えられる。
【００４８】
このとき本実施形態のごとく切り欠き１２ｇがインナーリング１２ｃに設けられていれば、封止体２０が下側突出部１２ｅに入り込んで流路を塞いでしまったとしても、図９（ｂ）のように切り欠き１２ｇと封止体２０との間には新たな流通口が形成されることになる。これにより流路が完全に塞がれることが防止され、容器１から内容物を継続して注出口１１から注出することが実現できる。
【００４９】
上記した各実施形態は本発明を実施するのに好適な一例であって、本願の趣旨を逸脱しない限りにおいて実施形態の各要素を適宜変形または組み合わせて新たな容器用栓体を構成してもよい。
【産業上の利用可能性】
【００５０】
本発明は、注出口を封止可能な封止体を用いて簡便な動作によって開閉栓を実行可能な容器用栓体を提供するのに適している。
【符号の説明】
【００５１】
１：容器
１０：本体
１１：注出口
１２、１２´：閉塞部
１３：切り欠き部
１４：天面板
１５：外周壁
２０：封止体
３０：上蓋
３１：天面壁
３２：円筒壁
３３：接続部
３４：スカート壁
４０：牽引部材
１００：容器用栓体
２００：栓体付き容器
【図１】
2020050367.tif 000003
【図２】
2020050367.tif 000004
【図３】
2020050367.tif 000005
【図４】
2020050367.tif 000006
【図５】
2020050367.tif 000007
【図６】
2020050367.tif 000008
【図７】
2020050367.tif 000009
【図８】
2020050367.tif 000010
【図９】
2020050367.tif 000011